(57)【要約】【課題】電源ケーブルの装置に対する接続の手間を低減し、接続の実効性を確保することが可能な超音波診断装置を提供する。【解決手段】超音波診断装置は、電源ケーブルが接続される給電端子を備えた電源コネクタと、給電端子と接続される本体側端子を有し電源コネクタが挿脱可能な電源コネクタ接続部を備えた装置本体と、電源コネクタおよび電源コネクタ接続部の対向面同士を引き寄せる引寄せ部と、を備える。超音波診断装置において、引寄せ部によって対向面同士が引き寄せられる力は、電源コネクタを電源コネクタ接続部に挿入するのに要する押圧力よりも大きい。引寄せ部は、電源コネクタおよび電源コネクタ接続部における一方の対向面に備えられた磁石、および、他方の前記対向面に設けられた磁性体または前記磁石とは反対の磁極を呈する磁石である。【選択図】図３
2022002622.tif 000002
【特許請求の範囲】
【請求項１】
電源ケーブルが接続される給電端子を備えた電源コネクタと、
前記給電端子と接続される本体側端子を有し前記電源コネクタが挿脱可能な電源コネクタ接続部を備えた装置本体と、
前記電源コネクタおよび前記電源コネクタ接続部の対向面同士を引き寄せる引寄せ部と、
を備える超音波診断装置。
【請求項２】
前記引寄せ部によって前記対向面同士が引き寄せられる力は、前記電源コネクタを前記電源コネクタ接続部に挿入するのに要する押圧力よりも大きい、
請求項１に記載の超音波診断装置。
【請求項３】
前記引寄せ部は、前記電源コネクタおよび前記電源コネクタ接続部における一方の前記対向面に備えられた第１磁石、および、他方の前記対向面に設けられた磁性体または前記第１磁石とは反対の磁極を呈する第２磁石である、
請求項１または２に記載の超音波診断装置。
【請求項４】
前記電源コネクタは、前記電源コネクタ接続部に係止されることにより当該電源コネクタが前記電源コネクタ接続部から抜けることを防止する抜け防止部を備える、
請求項１から３の何れか一項に記載の超音波診断装置。
【請求項５】
前記抜け防止部は、前記電源コネクタが前記電源コネクタ接続部に係止されている状態において、当該係止を解除する操作を行うための操作部を備える、
請求項４に記載の超音波診断装置。
【請求項６】
前記電源コネクタは、前記給電端子に対して前記電源ケーブルの端子を着脱可能に収容する、
請求項１から５の何れか一項に記載の超音波診断装置。
【請求項７】
前記給電端子は、前記電源コネクタの筐体に対して可動なフローティングコネクタである。
請求項１から６の何れか一項に記載の超音波診断装置。
【発明の詳細な説明】
【技術分野】
【０００１】
本発明は、超音波診断装置に関する。
【背景技術】
【０００２】
近年、超音波診断装置は、ユーザー（医師等）が患者の自宅で診察等を行うことができるように、持ち運び可能な携帯型の装置が多く開発されている。
【０００３】
かかる超音波診断装置は、病院等で使用される場合には、例えば電源部やキャスター（車輪）等を備えたカート型の構造体（単に「カート」とも呼ばれる）に接続（ドッキング）されることにより、診断等を行う際の作業性を向上させることができる。
【０００４】
また、超音波診断装置は、カートに備えられた電源コネクタやオプションとしてのクレードルに接続（ドッキング）されることにより、外部電源による各部の動作、内部電池の充電、さらにはホスト端末との通信等を行うことができる。
【０００５】
ここで、超音波診断装置に接続される電源ケーブルは、装置の移動や使用中に緩むことや抜けることがないように固定することが望まれている（例えば特許文献１を参照）。
【先行技術文献】
【特許文献】
【０００６】
【特許文献１】特開２０１３−１５０７１６号公報
【発明の概要】
【０００７】
しかしながら、従来の超音波診断装置では、電源ケーブルのコネクタを差し込んで装着する際に、差し込み方が中途半端になる事例がしばしば発生していた。
【０００８】
このような場合、超音波診断装置では、外部電源ではなく内部電源（バッテリー）の電力によって稼働することから、診断中にバッテリー切れによるシャットダウン動作が発生する等の問題があった。
【０００９】
上記のような課題に対し、特許文献１記載の技術では、治具を用いることによって中途半端な差し込みとなることを防止する構成を提案しているが、治具を固定する作業および取り外す作業に手間がかかる問題がある。
【発明が解決しようとする課題】
【００１０】
本発明の目的は、電源ケーブルのコネクタを接続する際の手間を低減し、接続の実効性を確保することが可能な超音波診断装置を提供することである。
【課題を解決するための手段】
【００１１】
本発明に係る超音波診断装置は、
電源ケーブルが接続される給電端子を備えた電源コネクタと、
前記給電端子と接続される本体側端子を有し前記電源コネクタが挿脱可能な電源コネクタ接続部を備えた装置本体と、
前記電源コネクタおよび前記電源コネクタ接続部の対向面同士を引き寄せる引寄せ部と、
を備える。
【発明の効果】
【００１２】
本発明によれば、電源ケーブルのコネクタを接続する際の手間を低減し、接続の実効性を確保することができる。
【図面の簡単な説明】
【００１３】
【図１】本実施の形態における超音波診断システムの一具体例を示す斜視図である。
【図２】図１に示す状態から超音波診断装置の本体等を取り外した状態を示す斜視図である。
【図３】装置本体の背面側に接続される電極コネクタの概略構成を示す図である。
【図４】上記電源コネクタのロックラッチを抽出して示す拡大斜視図である。
【図５】上記電源コネクタのより具体的な構成を示す図である。
【図６】図６Ａは上記電源コネクタの後側から表す透視図であり、図６Ｂは上記電源コネクタに組み込まれるプラグの一具体例を示す斜視図である。
【発明を実施するための形態】
【００１４】
本実施の形態に係る超音波診断装置および架台について、図面を参照して詳細に説明する。
【００１５】
図１は、本実施の形態における超音波診断システム１を当該システム（組み立て体）の背面側から示す外観図である。この超音波診断システム１は、下から、複数（この例では５つ）のキャスター３００によって床面上を移動可能とされた脚部２１０、脚部２１０によって支持される円柱状のリフター４、リフター４に組み付けられた電源部８、プリンター７、プローブセレクター１１等を備える。
【００１６】
また、超音波診断システム１は、リフター４におけるプローブセレクター１１よりも上方の位置に、ドッキング部材９０等を備えたドッキング部９を備えている。
【００１７】
そして、本実施の形態の超音波診断システム１は、このドッキング部９に対して、超音波診断装置の本体としての筐体（以下、単に「装置本体」という）２が着脱可能に接続（ドッキング）される構成となっている。
【００１８】
以下、上記の各部の構成をより具体的に説明する。本実施の形態の超音波診断システム１は、図１に示すように、各々の脚部２１０の下面にキャスター保持部３１０が回転可能に連結（軸支）され、車輪としてのキャスター３００は、キャスター保持部３１０によって回転可能に保持されている。
【００１９】
かかる超音波診断システム１は、いわゆるカート型の構成であり、設置面（床面など）上で各々のキャスター３００およびキャスター保持部３１０が回転することにより、例えば病室内で自由に移動することができる。
【００２０】
すなわち、超音波診断システム１は、図１に示すように各キャスター３００の位置が揃っている状態では、図中における右上側に押し出されることにより、キャスター保持部３１０の回転を伴うことなく各々のキャスター３００が回転して、装置全体を移動させることができる。
【００２１】
一方、超音波診断システム１は、他の方向、例えば図中における右下側に押し出された場合、キャスター３００を保持している軸（ないしキャスター３００の位相）が当該移動方向に回転した後にキャスター３００が回転することにより、装置全体を移動させることができる。
【００２２】
また、キャスター保持部３１０は、図１に示すように、ブレーキないし移動防止用としての機能を担う回転止め３１１を備えている。一具体例では、回転止め３１１は、ユーザーのスライド操作等によって所定位置（以下「ロック位置」という）に設定されることにより、対応するキャスター３００に接触して、当該キャスター３００が回転することを阻止（ロック）する。
【００２３】
本実施の形態では、各々の回転止め３１１がロック位置に設定された場合、床面に接触している全て（この例では５つ）のキャスター３００が回転できなくなることから、超音波診断システム１全体が床面から大きく移動する（位置ずれする）ことを防止ないし抑制することができる。
【００２４】
したがって、後述するドッキング部９に対して装置本体２を着脱する作業の際も、各々の回転止め３１１をロック位置に設定しておくとよい。
【００２５】
図１を参照すると、超音波診断システム１における中央の位置にリフター４が立設され、かかるリフター４に対して、下から順に、電源部８、プリンター７、プローブセレクター１１、およびドッキング部９が順に組付けられている。また、ドッキング部９に対して装置本体２が着脱可能に構成されている。
【００２６】
リフター４における脚部２１０の上方には、超音波診断システム１の各部に電力を供給するための電源部８が配置されている。電源部８は、図示しないトランス等を備え、外部電源となる室内の電源コンセント（アウトレット）から給電された電流をトランス等で変換し（ＡＣ／ＤＣおよび電圧の変換など）、該変換された電流を超音波診断システム１の各部に供給する。
【００２７】
リフター４における電源部８の上方には、プリンター７が配置されている。プリンター７は、超音波診断システム１による超音波画像の撮影結果や診断結果などを印刷（プリントアウト）する機能を備える。
【００２８】
また、リフター４におけるプリンター７の上方には、プローブセレクター１１が配置されている。プローブセレクター１１は、複数（図示の例では３つ）の超音波プローブ１０を脱着自在に保持する。
【００２９】
さらに、リフター４の最上部にはドッキング部９が配置されている。ドッキング部９は、装置本体２を載置（搭載）するための略板状のトレイ（図示せず）、トレイと一体をなすブロック状のドッキング部材９０などを備える。
【００３０】
装置本体２は、略箱状の外装体であり、超音波診断装置を構成する種々の部品（例えばプロセッサー、各種インターフェース、バッテリーなど）を収容する。また、図１に示すように、装置本体２の一端側には、ユーザーによって握持されるハンドル２ｈが形成されている。
【００３１】
詳細な図示を省略するが、一具体例では、装置本体２の上面には種々の入力キー（ハードウェアスイッチ）やトラックボールなどのユーザー操作を受け付ける操作入力部５が設けられている。また、装置本体２の操作入力部５と上述したハンドル２ｈとの間には、例えばタッチ入力可能な液晶表示パネルなどの操作表示部６が、装置本体２の上面に対して回転可能に立設されている（図１を参照）。
【００３２】
装置本体２内の超音波診断装置は、繰り返し充放電可能な内部電池（バッテリー）または電源部８から供給される電力により作動し、超音波プローブ１０に超音波を送信させるための駆動信号を生成する。生成された駆動信号は、プローブセレクター１１に接続された信号線（図示せず）を通じて、対応する超音波プローブ１０に伝達される。また、装置本体２内の超音波診断装置は、超音波プローブ１０から上記信号線を通じて受信した信号に基づいて超音波画像を生成するなど、種々の電気的処理を行う。
【００３３】
一具体例では、リフター４は、上下方向に伸縮可能かつ水平方向に回転可能な構成とすることができる。この場合、リフター４が上下方向に伸縮することによって装置本体２の操作入力部５や操作表示部６等をユーザーの扱いやすい高さ位置に調節でき、同様に、リフター４が水平方向に回転することによって操作入力部５等をユーザーの扱いやすい回転位置に調節することができる。
【００３４】
また、リフター４は、信号線や各種ケーブルを渡す役割、例えば電源部８から延びる電源ケーブルや電源コネクタ（適宜、図２を参照）を収容して、所定の開口（図１中に示さない）からドッキング部９に連結させる等の機能も有している。
【００３５】
かくして、本実施の形態の超音波診断システム１では、ユーザー（医師）が装置本体２をドッキング部９から取り外して携帯し、必要な超音波プローブ１０等を持参して患者の自宅等で撮影や診療を行うことができる。
【００３６】
この場合、超音波診断装置（装置本体２および超音波プローブ１０等）は、内部電源（バッテリー）によって稼働され、或いは付属品としての電源ケーブルを使用して、患者の自宅の外部電源を通じて電力を供給することもできる。
【００３７】
ところで、上述のように、超音波診断装置（装置本体２）に接続される電源ケーブルは、装置の移動や使用中に緩むことや抜けることがないように固定することが望まれているが、従来の超音波診断装置では、電源ケーブルのコネクタを差し込んで装着する際に、差し込み方が中途半端になる事例がしばしば発生していた。
【００３８】
このような場合、超音波診断装置では、外部電源ではなく内部電源（バッテリー）の電力によって稼働することから、診断中にバッテリー切れによるシャットダウン動作が発生する等の問題があった。
【００３９】
上記のような課題に対し、特許文献１記載の技術では、上述のように、治具を固定する作業および取り外す作業に手間がかかる問題がある。
【００４０】
上述のような実情に鑑みて、本実施の形態では、電源ケーブルのコネクタを接続する際の手間を低減し、接続の実効性を確保すべく、以下の構成を採用した。
【００４１】
すなわち、本実施の形態における超音波診断装置では、電源コネクタと、かかる電源コネクタが接続される装置本体２の電源コネクタ接続部との対向面同士を引き寄せる引寄せ部を設ける構成とした。
【００４２】
望ましくは、引寄せ部によって対向面同士が引き寄せられる力は、電源コネクタを装置本体２の電源コネクタ接続部に挿入するのに要する押圧力よりも大きい構成とする。
【００４３】
一具体例では、引寄せ部は、電源コネクタおよび電源コネクタ接続部における一方の対向面に備えられた磁石（第１磁石）、および、他方の対向面に設けられた磁性体または第１磁石とは反対の磁極を呈する第２磁石である。
【００４４】
上記の磁石（第１磁石、第２磁石）の材質、大きさ、配置等は、特に制限されるものではなく、また、永久磁石のみならず電磁石であってもよい。
【００４５】
さらに、電源ケーブルのコネクタが接続された状態における突発的な外力等に起因した抜け等を防止するため、電源コネクタが装置本体２の電源コネクタ接続部から抜けることを防止する抜け防止部を設けるとよい。
【００４６】
一具体例では、抜け防止部は、装置本体２の電源コネクタ接続部の対応する部位に係止される構成とし、かかる係止状態において、当該係止を解除する操作を行うための操作部を備えた構成とする。
【００４７】
以下、上述した構成の一具体例を、図２以下を参照して説明する。
【００４８】
図２は、図１に示す状態から取り外された装置本体２および電源コネクタ４０を示す斜視図である。なお、説明の便宜のため、図２では、装置本体２側の構成（操作表示部６など）を省略して示している。
【００４９】
図２に示すように、装置本体２におけるハンドル２ｈの反対側の端部には、電源コネクタ４０が着脱される略凹状の電源コネクタ接続部２０と、上述した超音波プローブ１０のコネクタ（図示せず）が接続されるプローブコネクタ接続部２１と、が設けられている。
【００５０】
上記のうち、図２中における左側のプローブコネクタ接続部２１は、超音波プローブ１０のコネクタと電気的に接続される複数の端子が配置されたプローブコネクタ２１１、超音波プローブ１０のケーブル（図示せず）が嵌め込まれるための溝部２１ｇ等を備える。
【００５１】
一方、図２中における右側の電源コネクタ接続部２０は、電源コネクタ４０の電極（給電端子）が設けられた電極部４５（図３を参照）が接続される本体側の電極（本体側端子）が設けられたコネクタ（以下、「本体側コネクタ」という）２０１、電源コネクタ４０の電源ケーブル４４０が嵌め込まれるための溝部２０ｇ等を備える。
【００５２】
より詳しくは、電源コネクタ接続部２０は、装置本体２の内部側に、電源コネクタ４０の筐体４１が突き当てられる突き当て面２０ａが設けられ、かかる突き当て面２０ａから電源コネクタ４０の着脱方向に沿って、リブ状の突起部２０ｒが設けられている。
【００５３】
上記のうち、突起部２０ｒは、電源コネクタ４０の筐体４１の対応する一側面側（電源ケーブル４４０が引き出される側と反対側）に設けられた溝状の凹部（図示せず）の形状と対応した形状を有し、電源コネクタ４０の着脱時における姿勢を規制ないしガイドする役割を担う。
【００５４】
一方、電源コネクタ接続部２０の突き当て面２０ａは、その中央の領域が開口となっており、かかる開口に本体側コネクタ２０１が配置されている。本発明との関係において、突き当て面２０ａは、一方すなわち電源コネクタ接続部２０側の「対向面」に対応する。
【００５５】
本実施の形態において、電源コネクタ４０は、一般的な外部電源（例えば交流１００〜１２０Ｖ電源）のコンセントに接続して、かかる外部電源の電力を装置本体２に供給する役割を担う。
【００５６】
この電源コネクタ４０は、上記のコンセントに抜き差しされるコンセントプラグ（図示せず）、一端側がコンセントプラグに接続された電源ケーブル（以下、単にケーブルという）４４０、ケーブル４４０の他端側を収容し、上述した装置本体２の電源コネクタ接続部２０に着脱される筐体４１等を備える。
【００５７】
電源コネクタ４０の筐体４１は、外側ハーフ４２および内側ハーフ４３の２つの部材が組み合わされてなる略箱型の部材であり、装置本体２の電源コネクタ接続部２０の内面形状と対応した外形を有する。
【００５８】
図３は、図２の反対側から電源コネクタ４０を示す斜視図である。図３に示すように、電源コネクタ４０における筐体４１の外側ハーフ４２は、内側ハーフ４３よりもやや長い奥行きを有する。また、筐体４１の外側ハーフ４２の上面には、略板状のロックラッチ４２０が設けられている。ロックラッチ４２０は、本発明の「抜け防止部」に対応する。
【００５９】
図４は、図３に示すロックラッチ４２０を拡大して示す切り欠き斜視図である。図４に参照されるように、ロックラッチ４２０は、その一端側の連結部４２０ａを中心として図４中の両矢印Ａ方向に回転可能に構成されている。
【００６０】
一具体例では、ロックラッチ４２０が移動可能な空間Ｖ内には、ロックラッチ４２０の下面に当接してロックラッチ４２０を付勢するばね（板バネまたはコイルばね等）などの付勢部が設けられている。
【００６１】
また、図４に示すように、ロックラッチ４２０の連結部４２０ａと反対側の端部は、ユーザーの指で押圧（操作）することができるように、外側ハーフ４２の２つの面から外側に突出した指掛け４２１となっている。かかる指掛け４２１は、ユーザーの指で押圧しやすくすべく、ロックラッチ４２０の上面に対して図４中の上側に屈曲するように張り出している。
【００６２】
さらに、図４に示すように、ロックラッチ４２０の上面には、指掛け４２１と平行方向かつ上方に延びるロック爪４２２が形成されている。かかるロック爪４２２は、装置本体２の電源コネクタ接続部２０の対応する上部内面に形成された溝部（図示せず）に係合する（係止される）ことにより、外力等により電源コネクタ４０が電源コネクタ接続部２０から抜けることを阻止ないし防止する機能（抜け防止部）の主たる役割を担う。
【００６３】
一方、上述した指掛け４２１は、本発明の「操作部」に対応し、電源コネクタ４０が電源コネクタ接続部２０の溝部に係止されている状態において、ユーザーに、当該係止を解除する操作（押圧移動操作）を行わせる役割を担う。
【００６４】
次に、図５以下を参照して、主に電源コネクタ４０における筐体４１の内部の構成について説明する。
【００６５】
図５および図６Ａの透視図に参照されるように、電源コネクタ４０の電極部４５は、内側ハーフ４３の開口部４３ａから外方に突出するように配置されている。より詳しくは、電極部４５は、筐体４１内に収容された基板４５０の第１面の略中央の領域で可動とされたフローティングコネクタである。
【００６６】
かかるフローティングコネクタは、内側ハーフ４３の開口部４３ａよりも小さい平面形状を有する略扁平な筒状の絶縁部材と、当該絶縁部材の内面に配置された複数の電極端子と、を備え、開口部４３ａにより規定された開口形状内で移動可能に設けられる。
【００６７】
図示の例では、基板４５０は、複数（図示の例では４本）のねじＳ２が基板４５０の第２面側からねじ込まれることによって、内側ハーフ４３の内面に固定される。そして、基板４５０の第１面側に設けられた電極部４５（フローティングコネクタ）は、内側ハーフ４３の開口部４３ａから外方を臨むように突出し、かつ開口部４３ａに対して上下左右方向に移動可能に配置されている。
【００６８】
図６Ａに参照されるように、基板４５０の第２面を臨む外側ハーフ４２の内部には、上述したケーブル４４０の端部が収容されている。一具体例では、基板４５０の第２面側に、図示しない複数の雌型端子が設けられ、かかる雌型端子にケーブル４４０の端部（端子）が着脱される。
【００６９】
上記の構成によれば、例えば図６Ｂに示すように、複数の雄型端子４４１を有するプラグ４４を備えた汎用型（市販品）のケーブル４４０を利用することもできる。
【００７０】
図５および図６Ａの透視図に参照されるように、この例では、内側ハーフ４３の外面から複数（図示の例では４本）のねじＳ１がねじこまれることにより、外側ハーフ４２と内側ハーフ４３とが固定される。
【００７１】
そして、本実施の形態では、内側ハーフ４３の外面に、装置本体２の上述した電源コネクタ接続部２０に引き寄せられる「引寄せ部」の一部である磁石Ｍが複数（この例では４つ）設けられている。図示の例では、磁石Ｍは、内側ハーフ４３の矩形状の外面における各々の隅部に配置されている。
【００７２】
一方、装置本体２の電源コネクタ接続部２０は、内側ハーフ４３の外面が突き当てられる突き当て面２０ａにおける各々の磁石Ｍと対応する位置に、「引寄せ部」の他の一部となる鉄板などの磁性体が配置されている。
【００７３】
なお、他の構成例として、鉄板などの磁性体を内側ハーフ４３の外面に配置し、磁石Ｍを突き当て面２０ａの対応する位置に配置してもよい。あるいは、内側ハーフ４３の外面と突き当て面２０ａの両方に磁石Ｍを配置してもよい。なお、磁石Ｍ同士を吸着させる構成とする場合、対抗位置する磁石Ｍの極性（Ｓ極、Ｎ極の別）を互いに異なる極とする。
【００７４】
本実施の形態において、磁石Ｍを構成する素材（材料）は特に限定されず、ネオジム磁石やフェライト磁石など任意の素材を使用することができる。
【００７５】
一方、本実施の形態では、上記の磁石Ｍによる吸着力（単位：ニュートン）は、装置本体２の電源コネクタ接続部２０に電源コネクタ４０を挿入する（奥まで完全に嵌め込む）のに必要となる押圧力よりも大きくなるように設定することが望ましい。
【００７６】
かかる力関係を実現するため、磁石Ｍの材質、面積、数等を適宜調整するとよい。加えて、電源コネクタ接続部２０の内面と電源コネクタ４０の外面との間で発生し得る摩擦、および、本体側コネクタ２０１と電源コネクタ４０の電極部４５との間で発生する摩擦が過度に大きくならないように調整するとよい。
【００７７】
かかる構成を備えた本実施の形態によれば、例えばユーザーにより電源コネクタ４０が把持されて装置本体２の電源コネクタ接続部２０に挿入された場合に、各部が以下のように接続される。
【００７８】
すなわち、電源コネクタ４０が装置本体２の電源コネクタ接続部２０に挿入される動作において、電極部４５が本体側コネクタ２０１に嵌め込まれることにより電気的に接続されるとともに、内側ハーフ４３の各々の磁石Ｍが突き当て面２０ａの磁性材料に吸着される。
【００７９】
より詳細には、ユーザーが電源コネクタ４０を持って電源コネクタ接続部２０に挿入する際に、電源コネクタ４０を軽く押し出すだけで、磁石Ｍの吸着力により、電源コネクタ４０の外面が装置本体２の電源コネクタ接続部２０の突き当て面２０ａ（各々の対向面）に引き寄せられ、これら対抗面同士が突き当たる。
【００８０】
この結果、電源コネクタ４０の電極部４５と本体側コネクタ２０１とを電気的にかつ物理的に完全に接続でき、いわゆる「半刺し」等の不完全な接続を有効に防止することができる。
【００８１】
また、電源コネクタ４０が装置本体２の電源コネクタ接続部２０の奥まで挿入される動作において、外側ハーフ４２におけるロックラッチ４２０のロック爪４２２が電源コネクタ接続部２０の溝部に係止される。
【００８２】
この結果、突発的な外力等によって電源コネクタ４０が装置本体２の電源コネクタ接続部２０から抜ける等の不具合を有効に防止することができる。
【００８３】
また、電源コネクタ４０を装置本体２から抜く際には、ユーザーは、ロックラッチ４２０の指掛け４２１に指を載せてロックラッチ４２０を下方に移動させた状態で電源コネクタ４０を手前に引けばよい。したがって、本実施の形態によれば、簡単な操作で電源コネクタ４０を外すことができる。
【００８４】
以上のように、本実施の形態の超音波診断装置は、電源ケーブル４４０が接続される給電端子（電極部４５）を備えた電源コネクタ４０と、給電端子（電極部４５）と接続される本体側端子（本体側コネクタ２０１）を有し電源コネクタ４０が挿脱可能な電源コネクタ接続部２０を備えた装置本体２と、電源コネクタ４０および電源コネクタ接続部２０の対向面同士を引き寄せる引寄せ部（磁石Ｍ等）と、を備える構成とすることにより、電源ケーブル４４０の装置本体２に対する接続の手間を低減し、接続の実効性を確保することができる。
【００８５】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００８６】
１  超音波診断システム
２  筐体（装置本体）
２ｈ  ハンドル
４  リフター
５  操作入力部
６  操作表示部
７  プリンター
８  電源部
９  ドッキング部
１１  プローブセレクター
２０  電源コネクタ接続部
２０ａ  突き当て面（対向面）
２０ｒ  突起部
２０ｇ  溝部
２１  プローブコネクタ接続部
４０  電源コネクタ
４１  筐体
４２  外側ハーフ
４３  内側ハーフ（対向面）
４３ａ  開口部
４４  プラグ
４５  電極部（フローティングコネクタ）
２０１  本体側コネクタ（本体側端子）
４２０  ロックラッチ（抜け防止部）
４２０ａ  連結部
４２１  指掛け（操作部）
４２２  ロック爪
４４０  ケーブル（電源ケーブル）
４５０  基板
４４１  雄型端子
Ｍ  磁石（引寄せ部）
Ｓ１，Ｓ２  ねじ
【図１】
2022002622.tif 000003
【図２】
2022002622.tif 000004
【図３】
2022002622.tif 000005
【図４】
2022002622.tif 000006
【図５】
2022002622.tif 000007
【図６】
2022002622.tif 000008